(57)【要約】      （修正有）【課題】様々な収納家具に設置可能な、簡便なハンガーパイプ用ソケットを提供する。【解決手段】収納家具１の内側面１１に挿入する可動ダボ４を介してソケット３を掛止するとともにハンガーパイプ２を支持する。このソケット３の家具収納当接面３３と可動ダボ４のつば部が家具収納の内側面１１に当接するため、ソケット３の回動を抑制させるため、様々な収納家具１に簡便にハンガーパイプ２を設けることができる。【選択図】図１
2018057464.tif 000002
【特許請求の範囲】
【請求項１】
収納家具に掛止されるとともにハンガーパイプを支持するソケットであって、前記収納家具の内側面に当接される収納家具当接面と、前記ハンガーパイプの端面に当接されるパイプ当接面と、が形成された本体部と、前記収納家具の内側面に設けられるダボ孔に挿入される可動ダボに掛止される掛止溝を有する掛止部と、前記パイプ当接面から突出して、前記ハンガーパイプの端部を下方から支持する支持部と、を備えていることを特徴とするソケット。
【請求項２】
前記掛止部の掛止溝の片側にダボ軸部上面に接するダボ当接面が設けられ、当該ダボ当接面は本体部中心から上側に設けられている、請求項１に記載のソケット。
【請求項３】
前記収納家具当接面から掛止部までの距離が可動ダボのつば部厚さと略同一であることを特徴とする請求項１又は２に記載のソケット。
【請求項４】
請求項１乃至４の何れか一項に記載のソケットと、前記支持部に支持されるハンガーパイプと、を備える収納家具。
【発明の詳細な説明】
【技術分野】
【０００１】
本発明は、ハンガーパイプを支持するハンガーパイプ用ソケット及び当該ハンガーパイプ用ソケットが設けられる収納家具に関する。
【背景技術】
【０００２】
従来、衣類などをかけるハンガーを吊るす収納空間内の収納家具は、収納家具が設置された収納空間の利便性を向上させるために、棒状のハンガーパイプを床から一定の高さで水平方向に固定する場合が多い。
【０００３】
しかし、この場合、使用者の背丈や収容する衣類の種類によりハンガーパイプ設置位置を変更することが難しい。収納家具の利便性をより高める技術としては、使用者の背丈や収容する衣類の種類によりハンガーパイプ設置位置を変更できる技術（特許文献１参照）などが知られている。
【０００４】
特許文献１には、ハンガーパイプの両端部を支持するハンガーパイプ取付手段を、支柱に形成された溝に取り付けることで、ハンガーパイプを上下方向に移動させる技術が開示されている。
【先行技術文献】
【特許文献】
【０００５】
【特許文献１】特開２００２−３６９７４３号公報
【発明の概要】
【発明が解決しようとする課題】
【０００６】
しかし、特許文献１に開示された技術は、専用の支柱やハンガーパイプ取付手段が必要なうえ、ハンガーパイプ取付手段自体の着脱も面倒であるという問題がある。
【０００７】
本発明は、このような問題点に鑑みてなされた発明であり、その目的は、一般に使用、販売されている可動ダボなどの固定具を用いた、ハンガーパイプの容易な着脱を実現するソケット及び収納家具に関するものである。
【課題を解決するための手段】
【０００８】
第１の発明は、収納家具に掛止されるとともにハンガーパイプを支持するソケットであって、前記収納家具の内側面に当接される収納家具当接面と、前記ハンガーパイプの端面に当接されるパイプ当接面と、が形成された本体部と、前記収納家具の内側面に設けられるダボ孔に挿入される可動ダボに掛止される掛止溝を有する掛止部と、前記パイプ当接面から突出して、前記ハンガーパイプの端部を下方から支持する支持部と、を備えているソケットを特徴とする。
【０００９】
第１の発明では、可動ダボを介してソケットを収納家具に掛止するのでハンガーパイプの設置位置を必要な高さに変更することができ、また収納家具の内側面にソケットの家具当接面が当接するため、ソケットに装着するハンガーパイプを安定して支持できる。
【００１０】
第２の発明は、請求項１に記載のソケットにおいて、掛止部のダボ当接面が本体部中心から上側に設けられていることを特徴とする。
【００１１】
第２の発明では、請求項１の特徴に加えて、ハンガーパイプ装着後のソケットの回動を抑制する。
【００１２】
第３の発明は、請求項１又は２に記載のソケットにおいて、 ラック当接面から掛止部までの距離が可動ダボのつば部厚さと略同一であることを特徴とする。
【００１３】
第３の発明では、請求項１又は２の特徴に加えて、可動ダボのつば部もソケットの回動抑制に加わることで、より高い効果を得られる。
【００１４】
第４の発明は、請求項１乃至３に記載のソケットと、ソケットの支持部に支持されるハンガーパイプとを備える収納家具であることを特徴とする。
【００１５】
第４の発明では、請求項１乃至３の特徴に加えて、様々な収納家具にハンガー機能を設けることができる。
【発明の効果】
【００１６】
本発明によると、ハンガーパイプを装着するソケットは、収納家具の内側面に挿入する可動ダボを介して収納家具の内側面に掛止するので、可動ダボの挿入位置を変えることで、ハンガーパイプの設置位置を変えることができる。そして、ソケットの収納家具当接面が収納家具の内側面に当接するため、当該ソケットが回動することなくハンガーパイプを確実に保持することができる。
【００１７】
ハンガーパイプを確実に固定しながら、着脱も容易にし、更には様々な収納家具にハンガー機能を設けることを実現することができる。
【００１８】
また掛止部の掛止溝の片側に設けられダボ軸部上面に接するダボ当接面により、ソケットの掛止部を容易に可動ダボに掛止することができる。さらに前記掛止部のダボ当接面は本体部中心から上側に設けられていること、前記掛止部の掛止溝の溝巾は可動ダボのダボ軸部の巾と略同一であることから、ソケットが回動するのをより防止することができる。
【００１９】
ハンガーパイプをソケットに装着する際は、ソケットの上方からハンガーパイプを降下させるため、ハンガーパイプは、まずパイプ当接面の上部に当接されることになる。また、掛止部は、収納家具の内側面に形成された上下一対の穴に挿入される、上下一対の棒状の突起部であるものとすることができる。このように掛止部材を収納家具の内側面に掛止することで、収納家具の内側面に対してソケットを容易に着脱することができる。
【００２０】
本発明に係る収納家具は、上記の何れかのソケットと、支持部に支持されるハンガーパイプと、掛止部に掛止する可動ダボと、可動ダボを挿入するダボ孔を備える。このように上記のソケットを備えることで、上記と同様な作用効果が得られる。
【図面の簡単な説明】
【００２１】
【図１】実施形態に係るソケットと収納家具の位置関係を示す図である。
【図２】図１に示すソケットと可動ダボの接続関係を示す背面図である。
【図３】図１に示すソケットとハンガーパイプの支持関係を示す正面図である。
【図４】図１に示すソケットの背面図である。
【図５】図１に示すソケットの正面図である。
【図６】図１に示すソケットの上面図である。
【発明を実施するための形態】
【００２２】
以下、図面を参照して、本発明に係るソケット及び収納家具の好適な実施形態について詳細に説明する。なお、全図中、同一または相当部分には同一符号を付し、重複する説明を省略する。また、以下の説明において、上下左右などの方向は、収納家具の方向を意味する。
【００２３】
図１は、実施形態に係る収納家具を示す側面図である。図１に示すように、本実施形態に係る収納家具１は、ハンガー（不図示）を掛けるハンガーパイプ２と、ハンガーパイプ２を収納家具１に設置するためのソケット３と、を備えている。
【００２４】
ハンガーパイプ２は、直一対のソケット３に支持されることで、収納家具１に水平方向に設置されるものであり、線状に延びる棒状又は筒状の部材により構成されている。なお、本実施形態のハンガーパイプ２は、略円筒状の部材により構成されているが、楕円筒状でもよく、その形状は特に限定されるものではない。
【００２５】
図２は図１に示すソケットと可動ダボの接続関係を示す図であり、図３は、図１に示すソケットとハンガーパイプの支持関係を示す図、図４はソケットの背面図、図５はソケットの正面図を示す。図１乃至図３に示すように、ソケット３は、可動ダボ４を介して収納家具１の内側面１１に掛止されるとともに、ハンガーパイプ２を支持するものである。このため、ソケット３は、本体部３１と、掛止部３２と、支持部３３と、ラック当接面３３と、掛止溝３４とを備えている。
【００２６】
本体部３１は、その表裏面に、収納家具１の内側面１１に当接するラック当接面３３と、ハンガーパイプ２の端面に当接されるパイプ当接面３６と、が形成されている。また、本体部３１は、上下が略楕円状に形成されており、ラック当接面３３は筒状の略楕円状、パイプ当接面３６は略楕円状に形成されている。なお、ソケット３の本体部３１上下長さは、特に限定されるものではないが、収納家具１のダボ孔１２とダボ孔１２の間よりも短いのが望ましく、その材質としては、アルミニウム、鉄、ステンレスといった金属製のほか、合成樹脂製でもよい。
【００２７】
ラック当接面３３は、ソケット３を収納家具１の内側面１１に掛止した際に、当該内側面１１に当接する面である。ラック当接面３３は、平面状に形成されているが、これに限定せず、よりソケット３の回動を防止するため、凸凹状にしたり、合成樹脂層を設ける等、滑り止め機能をさらに付与してもよい。
【００２８】
パイプ当接面３６は、ソケット３を収納家具１の内側面１１に掛止した際に、当該内側面１１の反対側に向けられる面であり、ソケット３にハンガーパイプ２を装着する際に、ハンガーパイプ２の端面が当接及び摺動する面である。このため、パイプ当接面３６は、ハンガーパイプ２の端面が摺動しやすいように、平面状に形成されている。なお、パイプ当接面３６は、ハンガーパイプ２の端面が当接される部分のみ平面状に形成されていればよく、その他の部分は必ずしも平面状である必要はない。
【００２９】
掛止部３２は、収納家具１の内側面１１を可動ダボ４を介して掛止される部位であり、掛止溝３４を備えている。
【００３０】
掛止溝３４は、掛止部３２の略中央部に設けられ、掛止溝３４の巾は可動ダボ４のダボ頭部４１の巾と略同一であり、掛止溝３４の上端部にはダボ頭部４１の上面と当接するダボ当接面３５を備えている。掛止溝３４の巾はダボ頭部４１が挿入できればよいので特に限定するものではないが、ダボ頭部４１の巾と略同一のほうがソケット３が可動ダボ４を介して回動しにくいので望ましい。なお、掛止部の厚さはダボ頭部４１が掛止できればよく、特に限定されない。
【００３１】
ここで、図１を参照して、収納家具１の内側面１１に対する掛止部３２の掛止方法について説明する。図１は、収納家具の内側面と可動ダボとソケットとハンガーパイプとの接続関係を示す図である。図１に示すように、収納家具１の内側面１１には、可動ダボ４を挿入するための複数のダボ孔１２が形成されている。
【００３２】
ダボ孔１２は、上下方向に一列に整列されており、ダボ孔１２の間隔は、ダボ孔１２とダボ孔１２との間隔と同じになっている。ダボ孔１２の内径及び深さは、可動ダボ４が挿入可能な範囲で適宜設定できるが、可動ダボ４は収納ラック等で用いる市販のものでもよい。
【００３３】
そして、可動ダボ４を介してソケット３を収納家具１に掛止するとソケット３の収納家具当接面３３が収納家具１の内側面１１に当接される。
【００３４】
また、ダボ孔１２に挿入する可動ダボ４の位置を変えることで、ソケット３を上下方向に移動させることが可能となっている。
【００３５】
支持部３７は、ハンガーパイプ２の端部を下方から支持する部位である。支持部３７は、本体部３１と一体的に形成されて、パイプ当接面３６に対して略垂直に突出している。また、支持部３７は、上方が開口され、底面３７ｂが半円弧状で、底面３７ｂの両端からハンガーパイプ２の外周に沿うように上方に略垂に延びる一対の側面３７ａにより形成されている。支持部３７の底面３７ｂから上端面３７ｃまでの高さは特に限定されるものではないが、ハンガーパイプ２の半径よりも高いほうがハンガーパイプ２をより安定して支持できるのでよい。
【００３６】
つぎに、ソケット３に対するハンガーパイプ２の装着方法について説明する。まず、収納家具１の内側面１１に可動ダボ４を介して掛止しているソケット３の支持部３７にハンガーパイプ２を上方から下降させ、パイプ当接面３６にハンガーパイプ２の端面を当接させる。このとき、支持部３７の底面３７ｂから側面３７ａに沿って、ハンガーパイプ２の外周の略半分を保持するため、ハンガーパイプ２を安定してソケット３に装着させる事が出来る。
【００３７】
また、図６に示すように、ソケット３のラック対向面３３と掛止部３２までの距離は、可動ダボ４のつば部４２の厚さと略同一より大きければよく、ソケット３を可動ダボ４を介して収納家具１に掛止する際にソケット３のラック当接面３３が収納家具１の内側面１１と当接できればよい。
【００３８】
このように、本実施形態によれば、収納家具１の対向する一対の内側面１１に一対の可動ダボ４を介して一対のソケット３の掛止部３２を掛止し、ハンガーパイプ２の両端部を各ソケット３の支持部３７により支持することで、ハンガーパイプ２を収納家具１に設置することができる。このため、収納家具１の内側面１１に対する掛止部３２の掛止位置を変えることで、ハンガーパイプ２の設置位置を変えることができる。
【００３９】
そして、ソケット３の本体部３１のラック当接面３３と収納家具１の内側面１１に当接するため、ハンガーパイプ２をソケット３に装着し、ハンガー等の収容時において、ソケット３が回動するのを防ぐことができる。
【００４０】
以上、本発明の好適な実施形態について説明したが、本発明は上記実施形態に限定されるものではない。
【産業上の利用可能性】
【００４１】
以上説明したように、本発明は、様々な収納家具に用いることができるハンガーパイプ用ソケットに関して有用である。
【符号の説明】
【００４２】
１…収納家具、１１…内側面、１２…ダボ孔、２…ハンガーパイプ、３…ソケット、３１…本体部、３２…掛止部、３３…収納家具当接面、３４…掛止溝、３５…ダボ当接面、３６…パイプ当接面、３７…支持部、３７ａ…側面、３７ｂ…底面、３７ｃ…上端面、４…可動ダボ、４１…ダボ頭部、４２…つば部。
【図１】
2018057464.tif 000003
【図２】
2018057464.tif 000004
【図３】
2018057464.tif 000005
【図４】
2018057464.tif 000006
【図５】
2018057464.tif 000007
【図６】
2018057464.tif 000008